(57)【要約】【課題】操作性に優れた指圧器具を提供する。【解決手段】三角形に形成され頂部で身体のツボを押圧可能な板厚を有する指圧体と、先端に前記指圧体の中心部が連結支持され基端にグリップ部が形成された操作棒とを備え、前記指圧体の三角形の各頂部は、身体のツボを刺激可能なＲ形状に形成されると共に、身体の押圧部位に応じて異なるＲ形状に形成される。刺激するツボに応じて指圧器具を移動させなければならないが、操作棒が付いているので、指圧体を手軽に当てたい部位まで移動させることができる。【選択図】  図３
0003169048.tif 000002
【実用新案登録請求の範囲】
【請求項１】
三角形に形成され頂部で身体のツボを押圧可能な板厚を有する指圧体と、先端に前記指圧体の中心部が連結支持され基端にグリップ部が形成された操作棒とを備え、前記指圧体の三角形の各頂部は、身体のツボを刺激可能なＲ形状に形成されると共に、身体の押圧部位に応じて異なるＲ形状に形成されたことを特徴とする指圧器具。
【請求項２】
前記指圧体および操作棒は、ウレタン樹脂および／またはフェノール樹脂から構成されたことを特徴とする請求項１に記載の指圧器具。
【請求項３】
前記指圧体の硬度がＪＩＳＡ  ６０度〜９０度に設定されたことを特徴とする請求項２に記載の指圧器具。
【請求項４】
前記指圧体は、三角形の各頂部近辺に硬さ調整用の調整孔が一つまたは複数個形成されたことを特徴とする請求項３に記載の指圧器具。
【考案の詳細な説明】
【技術分野】
【０００１】
本考案は、身体のツボ等を押圧して刺激する指圧器具に関するものである。
【背景技術】
【０００２】
身体の肩、背中、腰その他の身体の部位の筋肉がこる場合、その部位を押圧して刺激すれば肩こり等が改善されることが知られている。
【０００３】
従来、この種の押圧具は、特許文献１に示すように、多角錐形状、例えばテトラポット形状（三角錐形状）を有したブロック体から成り、４つの頂部を有したブロック体であって、各頂部の反対側（対向面）は略平坦面となっている。
【０００４】
これらの頂部は身体のツボ、痛みやこり等の症状を呈する患部を押圧するに適した寸法、形状に構成されている。また、ブロック体は頂部の反対側が略平面になっており、人の手の掌に当接した状態で、ブロック体を把持しやすい形状になっている。そして、各頂部の形状を異ならせることにより、一つの押圧具により、症状、身体部位等の条件の違いに応じた処置を施すことができるようになっている。
【先行技術文献】
【特許文献】
【０００５】
【特許文献１】特開平１１−７６３６３号（段落０００５参照）
【考案の概要】
【考案が解決しようとする課題】
【０００６】
しかし、特許文献１の押圧具では、手の掌に把持しやすい多角錐形状であるため、身体の特定の押圧部位から他の押圧部位に移動させようとした場合、押圧器具を持って手で移動操作しなければならず、手が届かない部位では押圧できず、あるいは窮屈な姿勢で押圧具を操作しなければならないので、非常に煩わしい操作が必要になった。
【０００７】
本考案は、上記に鑑み、簡単な操作で身体の押圧部位を変更移動することができる操作性に優れた指圧器具の提供を目的としている。
【課題を解決するための手段】
【０００８】
上記目的を達成するために、本考案に係る指圧器具では、三角形に形成され頂部で身体のツボを押圧可能な板厚を有する指圧体と、先端に前記指圧体の中心部が連結支持され基端にグリップ部が形成された操作棒とを備え、前記指圧体の三角形の各頂部は、身体のツボを刺激可能なＲ形状に形成されると共に、身体の押圧部位に応じて異なるＲ形状に形成されたことを特徴とする。
【０００９】
上記構成によると、三角形状の指圧体の各頂部で身体のツボを押圧することができ、この際、押圧する部位に応じて３種類の頂部Ｒ形状を用意しているので、押圧する部位に応じて適度にツボを刺激することができる。そして、刺激するツボに応じて指圧器具を移動させなければならないが、操作棒が付いているので、手が届かない部位でも指圧器具を手軽に移動させることができる。
【００１０】
この場合、指圧体および操作棒は、移動操作性を考慮して軽量な合成樹脂製のものを採用することが望ましい。さらに、合成樹脂であっても、静電気が起きにくいウレタン樹脂および／またはフェノール樹脂から構成するのが好ましい。
【００１１】
例えば、指圧体をウレタン樹脂から構成し、操作棒をフェノール樹脂から構成する態様が挙げられる。指圧体および操作棒を共にウレタン樹脂から構成する態様であってもよい。また、指圧体および操作棒を共にフェノール樹脂から構成する態様であってもよい。いずれも静電気が起こりにくいので、安心して指圧器具を身体に当てることができる。
【００１２】
身体のツボを刺激するための硬度は、ＪＩＳＡ硬度で６０度〜９０度が好ましい。これらの硬度に設定した場合、適度な弾性を有しツボ刺激を与えることができる。
【００１３】
指圧体を同じ素材で作成する場合、各頂部における硬度調整が難しくなるが、指圧体の三角形の各頂部近辺に硬さ調整用の調整孔を一つまたは複数形成し、各頂部における弾性を適度に調整することができる。特に、頂部が尖ったＲ形状の場合、調整孔を形成することで適度な弾性を与えることができ、痛みを伴うことなく指圧効果を上げることができる。
【考案の効果】
【００１４】
以上のとおり、本考案によると、三角形状の指圧体の各頂部で身体のツボを押圧することができ、この際、押圧する部位に応じて３種類の頂部Ｒ形状を用意しているので、押圧する部位に応じて適度にツボを刺激することができる。
【図面の簡単な説明】
【００１５】
【図１】壁との間に本考案の実施形態である指圧器具を介在させて指圧を施している状態を示す概略図である。
【図２】床面に仰向した状態で床面との間に指圧器具を介在させて指圧を施している状態を示す概略図である。
【図３】本実施形態における指圧器具の斜視図である。
【図４】指圧器具の背面側からみた斜視図である。
【図５】指圧器具の平面図である。
【図６】指圧器具の側面図である。
【図７】指圧体の斜視図である。
【図８】指圧体の正面図である。
【図９】指圧体の要部を示す側面図である。
【図１０】（ａ）〜（ｄ）は夫々異なる孔形状を有する指圧体の正面図である。
【考案を実施するための最良の形態】
【００１６】
以下、本考案の実施形態を図面に基づいて説明する。本考案に係る指圧器具１は、指圧体２と操作棒３とを備えている。
【００１７】
指圧体２は、三角形に形成され３つの頂部４，５，６を有し、各頂部４，５，６で身体のツボ等を押圧可能な板厚を有している。身体のツボ等を押圧可能な指圧体２の板厚が、８ｍｍ〜２０ｍｍ程度に設定される。指圧体２の三角形の各頂部の頂角は、４５度〜７５度の範囲内で角度設定される。各頂部４，５，６の形状は、正面視からみて身体のツボを刺激可能なＲ形状に形成されると共に、身体の押圧部位に応じて異なるＲ形状に形成されている。
【００１８】
例えば、頂部４をＲ１５ｍｍ〜２０ｍｍ、頂部５をＲ２０ｍｍ〜２５ｍｍ、頂部６をＲ２５ｍｍ〜３０ｍｍに設定することができる。
【００１９】
また、指圧体２は、図９に示すように、板厚方向の両端においてもＲ形状（Ｒ５ｍｍ〜１０ｍｍ）に設定され、押し当てた際に刺激が強くなり過ぎないように設定されている。
【００２０】
これに関連して、指圧体２では、頂部４，５，６の硬度があまりにも高いと、身体の押圧部位に痛みを発することになるので、適度な弾性を求められる。本実施形態では、適度な弾性を確保するために、指圧体２をウレタン樹脂から構成し、ＪＩＳＡ硬度が６０度〜９０度に設定される。好ましくはＪＩＳＡ硬度が８０度〜９０度、より好ましくは９０度近辺である。
【００２１】
指圧体２の弾性を調整するために、三角形の各頂部４，５，６のうち、特定の頂部、例えば、最もＲ寸法が小さく尖った形状の頂部４の近辺に、硬さ調整用の調整孔７が一つまたは複数個形成される。調整孔７は指圧体２の板厚方向に穿孔貫通した態様とされる。
【００２２】
図１０（ａ）〜（ｄ）は夫々異なる孔形状を有する指圧体の正面図である。同図（ａ）は３つの小孔を形成した例、同図（ｂ）は頂部の形状に合わせた三角形状の孔を形成した例、同図（ｃ）は中央仕切り壁を挟んで左右に三角形状の孔を形成した例、同図（ｄ）は三角形状の穴を穿孔し、頂部の板厚を薄くした例である。図１０はあくまでも一例であって、これ以外の種々の調整孔形状を採用することもできる。
【００２３】
指圧体２を構成するウレタン樹脂は、静電気が起こりにくい素材である。ウレタン樹脂は接着性・耐摩耗性にも優れ、発泡体として形成してもよい。
【００２４】
操作棒３は、先端に指圧体２の中心部が連結支持され基端にグリップ部８が形成されている。操作棒３と指圧体２とは、指圧体２の中心部で板厚方向に貫通する貫通孔２ａを通してネジ９を操作棒３の先端に螺合することによって両者が連結支持される。
【００２５】
操作棒３の長さは、少なくとも身体の横幅の半分（１／２）以上の長さを有し、身体の横側から操作棒３を身体の背面側に侵入させ、身体の背部に押し当てることができる。
【００２６】
グリップ部８は手の掌に持ちやすい長さと太さに設定され、適宜、リング状溝からなる滑り止め８ａが施されている。滑り止め８ａはローレット加工したものや、各種態様を採用することができる。
【００２７】
操作棒３は、静電気の起こりにくいフェノール樹脂から構成され、指圧器具の素材としえ好適である。その他、フェノール樹脂は、電気的、機械的特性が良好で、耐熱性、難燃性に優れている。
【００２８】
次に、上記指圧器具の使用方法について説明する。図１は身体１０を壁面にもたれかけさせ、身体１０と壁面１１との間に指圧器具１を介在させて指圧を施している状態である。また、図２は床面１２に身体１０を仰向した状態で身体１０と床面１２との間に指圧器具１を介在させて指圧を施している状態である。
【００２９】
いずれの姿勢においても、指圧体２の頂部４，５，６のうち、所望の頂部が身体の背中から腰にかけて点在するツボに当てると、指圧体２の形状が三角形状であるため、身体に押圧した頂部４，５，６に対する対辺となる底辺部分は平坦な形状であり、壁面１１（図１参照）または床面１２（図２参照）に底辺部分が安定した状態で当接することになる。
【００３０】
この状態で身体の体重を指圧体２にかけると、身体の自重により、ツボ等を適度な力で押圧することになる。特に、壁面１１に指圧器具１を配置する場合、身体からの押圧力を調整することで、身体のツボを適度に刺激することができる。
【００３１】
１箇所の部位について指圧を施した後、別の部位に指圧器具１を移動させるとき、身体を指圧器具１から離し、操作棒３を持って簡単に別の部位に移動させ、指圧部位を変更することができる。そのため、従来の操作棒のない指圧器具に比べて、高い操作性を得ることができる。
【００３２】
また、三角形状の指圧体２の各頂部４，５，６で身体のツボ等を押圧することができ、この際、押圧する部位に応じて３種類の頂部Ｒ形状を用意しているので、押圧する部位に応じて適度にツボを刺激することができる。
【００３３】
なお、本考案は、上記実施形態に限定されるものではなく、本考案の範囲内で多くの修正・変更を加えることができるのは勿論である。例えば、上記実施形態では、指圧体をウレタン樹脂、操作棒をフェノール樹脂から構成する態様を例示したが、指圧体および操作棒を共にウレタン樹脂から構成する態様、指圧体および操作棒を共にフェノール樹脂から構成する態様、さらには、指圧体をフェノール樹脂、操作棒をウレタン樹脂から構成する態様を採用してもよい。
【符号の説明】
【００３４】
１    指圧器具
２    指圧体
２ａ  貫通孔
３    操作棒
４，５，６    頂部
７    調整孔
８    グリップ部
８ａ    滑り止め
９    ネジ
１０    身体
１１    壁面
１２    床面
【図１】
0003169048.tif 000003
【図２】
0003169048.tif 000004
【図３】
0003169048.tif 000005
【図４】
0003169048.tif 000006
【図５】
0003169048.tif 000007
【図６】
0003169048.tif 000008
【図７】
0003169048.tif 000009
【図８】
0003169048.tif 000010
【図９】
0003169048.tif 000011
【図１０】
0003169048.tif 000012